(57)【要約】【課題】部品点数を低減し、製造コストの低減を図ることが可能であるとともに、小型化が可能なディスク装置を提供する。【解決手段】ディスク装置の筐体１０内には、ディスク状の記録媒体および機構部が設けられている。筐体は、第１シェル１１および第２シェル１２を有している。第１シェルおよび第２シェルは、互いに対向した主壁１１ａ、１２ａと主壁の周縁に沿って立設された側壁１１ｂ、１２ｂとをそれぞれ有し、側壁の端縁同士を突き合わせた状態で対向配置されている。筐体は、第１シェルと第２シェルとを締結した複数の締結部１８を有し、各締結部は、第１シェルの主壁の一部を筐体の内側に絞って形成された第１凹部２０ａと、第２シェルの主壁の一部を筐体の内側に絞って形成され第１凹部に当接した第２凹部２２ａと、第１凹部の底部と第２凹部の底部とを互いに締結したねじ２４と、を有している。【選択図】  図４
2008165873.tif 000002
【特許請求の範囲】
【請求項１】
第１シェルおよびこの第１シェルと対向して設けられた第２シェルとを有した矩形状の筐体と、
筐体内に配設されたディスク状の記録媒体と、
前記記録媒体に対して情報処理を行うヘッド、前記ヘッドを支持したヘッドアクチュエータ、および前記記憶媒体を支持および回転する駆動モータを含み前記筐体内に設けられた機構部と、を備え、
前記第１シェルおよび第２シェルは、互いに対向した主壁と主壁の周縁に沿って立設された側壁とをそれぞれ有し、前記側壁の端縁同士を突き合わせた状態で対向配置され、
前記筐体は、前記第１シェルと第２シェルとを締結した複数の締結部を有し、
各締結部は、前記第１シェルの主壁の一部を筐体の内側に絞って形成された第１凹部と、前記第２シェルの主壁の一部を筐体の内側に絞って形成され前記第１凹部に当接した第２凹部と、前記第１凹部の底部と第２凹部の底部とを互いに締結したねじと、
を有しているディスク装置。
【請求項２】
前記筐体は、前記第１および第２シェルの側壁に巻装され側壁を互いに接続しているとともに、前記側壁間の隙間を閉塞した帯状のシール材を備えている請求項１に記載のディスク装置。
【請求項３】
前記各締結部は、前記第１凹部および第２凹部のいずれか一方の凹部の底部に形成されたねじ孔と、他方の凹部の底部に形成された透孔とを有し、前記ねじは、前記透孔を通して前記ねじ孔にねじ込まれて、ねじ頭が前記シェルの表面と同一平面に位置する高さを有している請求項１に記載のディスク装置。
【請求項４】
前記各締結部は、前記第１凹部および第２凹部の底部にそれぞれ形成された透孔と、前記第１凹部および第２凹部のいずれか一方の凹部内に配設されたナットと、を有し、前記ねじは、他方の凹部側から前記透孔に挿通され前記ナットにねじ込まれている請求項１に記載のディスク装置。
【請求項５】
前記複数の締結部は、前記第１シェルおよび第２シェルの側壁から離間しているとともに、前記記録媒体の周囲に設けられている請求項１に記載のディスク装置。
【請求項６】
前記第１シェルの主壁の外面に対向して設けられているとともに、前記機構部に電気的に接続された回路基板と、前記回路基板を覆って前記第１シェルに取り付けられたボトムカバーと、を備えている請求項１に記載のディスク装置。
【請求項７】
前記ボトムカバーは、前記回路基板と共に、前記第１シェルに共締め固定されている請求項６に記載のディスク装置。
【発明の詳細な説明】
【技術分野】
【０００１】
この発明は、ディスク状の記録媒体を有したディスク装置に関する。
【背景技術】
【０００２】
近年、コンピュータの外部記録装置や画像記録装置として磁気ディスク装置、光ディスク装置などのディスク装置が広く用いられている。  
ディスク装置として、例えば、磁気ディスク装置は、一般に、矩形状の筐体を備え、この筐体内には、磁気ディスク、磁気ディスクを支持および回転駆動するスピンドルモータ、磁気ヘッドを支持したヘッドアクチュエータ、ヘッドアクチュエータを駆動するボイスコイルモータ、回路基板ユニット等を備えている。
【０００３】
近年、ディスク装置の小型化に伴い、ヘッドアクチュエータ等の各構成要素も小型化されている。これに伴ない、筐体も小型化され、更に、内部の設置スペーサを大きくできるように、薄型化されている。例えば、特許文献１に開示されたディスク装置によれば、筐体は、ベースとトップカバーとを備えている。ベースおよびトップカバーはそれぞれ金属板により形成され、平坦な矩形状の主面と、主面の周縁部に立設された側壁とを一体に有している。ベースおよびトップカバーは、その側壁同士が対向した状態で、互いに向い合わせて配置されている。
【０００４】
ベースとトップカバーとは、筐体内に配設された支持ポストあるいは支持ロッドを介して互いに締結され、矩形箱状の筐体を構成している。支持ポストの１つとして、例えば、スピンドルモータの枢軸、および、キャリッジアッセンブリの軸受部に設けられた枢軸が用いられている。これらの枢軸は、その両端部がベースおよびトップカバーに固定され、筐体を支持している。
【特許文献１】特開２００６−０７３０６７号公報
【発明の開示】
【発明が解決しようとする課題】
【０００５】
上記のように構成されたディスク装置によれば、筐体を小型化および薄型化し、装置全体の小型化を図ることができる。しかし、上記のような支持ポストあるいは枢軸を用いて筐体を締結する場合、部品点数が増加し、製造コスト増加の要因となる。また、スピンドルモータの枢軸を支持ポストとして併用する場合、モータは必然的に軸固定構造のモータとなる。そのため、使用するモータの選択設計自由度が低下する。
【０００６】
この発明は以上の点に鑑みなされたもので、その目的は、部品点数を低減し、製造コストの低減を図ることが可能であるとともに、小型化が可能なディスク装置を提供することにある。
【課題を解決するための手段】
【０００７】
上記目的を達成するため、この発明の態様に係るディスク装置は、第１シェルおよびこの第１シェルと対向して設けられた第２シェルとを有した矩形状の筐体と、筐体内に配設されたディスク状の記録媒体と、前記記録媒体に対して情報処理を行うヘッド、前記ヘッドを支持したヘッドアクチュエータ、および前記記憶媒体を支持および回転する駆動モータを含み前記筐体内に設けられた機構部と、を備え、  
前記第１シェルおよび第２シェルは、互いに対向した主壁と主壁の周縁に沿って立設された側壁とをそれぞれ有し、前記側壁の端縁同士を突き合わせた状態で対向配置され、前記筐体は、前記第１シェルと第２シェルとを締結した複数の締結部を有し、各締結部は、前記第１シェルの主壁の一部を筐体の内側に絞って形成された第１凹部と、前記第２シェルの主壁の一部を筐体の内側に絞って形成され前記第１凹部に当接した第２凹部と、前記第１凹部の底部と第２凹部の底部とを互いに締結したねじと、を有している。
【発明の効果】
【０００８】
この発明によれば、部品点数を低減し、製造コストの低減を図ることが可能であるとともに、小型化が可能なディスク装置を提供することができる。
【発明を実施するための最良の形態】
【０００９】
以下図面を参照しながら、この発明の実施形態に係るハードディスクドライブ（以下ＨＤＤと称する）について詳細に説明する。  
図１ないし図３に示すように、ＨＤＤは後述する種々の部材が収納されたほぼ矩形箱状の筐体１０と、筐体１０の外面に重ねて設けられた矩形状の制御回路基板１５と、制御回路基板を覆って筐体の底に取り付けられたボトムカバー１６と、を備えている。
【００１０】
筐体１０は、互いにほぼ等しい寸法に形成されたベース１１およびトップカバー１２を有している。ベース１１は、例えば、鉄からなる金属板により形成され、トップカバー１２は、例えば、ステンレスからなる金属板により形成されている。ベース１１およびトップカバー１２は、それぞれ平坦な矩形状の主壁１１ａ、１２ａと、主壁の周縁部に沿ってほぼ直角に立設された側壁１１ｂ、１２ｂとを一体に有している。ベース１１およびトップカバー１２は、その側壁１１ｂ、１２ｂの端縁同士が突合わされた状態で、互いに向い合わせて配置されている。ベース１１の主壁１１ａおよびトップカバー１２の主壁１２ａは、所定の隙間をおいてほぼ平行に対向している。
【００１１】
筐体１０の周壁を構成しているベース１１およびトップカバー１２の側壁１１ｂ、１２ｂの外面には帯状のシール材１７が全周に渡って巻き付けられている。このシール材１７によりベース１１およびトップカバー１２の側壁が互いに接続されているとともに、側壁間の隙間がシールされている。後述するように、筐体１０は、ベース１１およびトップカバー１２を互いに締結した複数、例えば、３つの締結部１８を有している。これにより、矩形箱状の筐体１０が構成されている。
【００１２】
図１ないし図４に示すように、各締結部１８は、ベース１１およびトップカバー１２の側壁１１ｂおよび１２ｂから離間して位置し、ベースおよびトップカバーの主壁１１ａおよび１２ａに設けられている。各締結部１８は、ベース１１の主壁１１ａの一部を筐体の内側に向かって、つまり、トップカバー１２側に向かって深絞りすることより形成された第１凹部２０ａと、トップカバー１２の主壁１２ａの一部を筐体の内側に向かって、つまり、ベース１１側に向かって深絞りすることにより形成された第２凹部２２ａとを有している。第１凹部２０ａおよび第２凹部２２ａは、それぞれほぼ平坦な底部２０ｂ、２２ｂを有し、これら第１凹部および第２凹部の底部２０ｂ、２２ｂは互いに向かい合い、互いに面接触している。
【００１３】
第２凹部２２ａの底部２２ｂにはねじ孔２２ｃが形成され、第１凹部２０ａの底部２０ｂには、透孔２０ｃが形成されている。ねじ孔２２ｃおよび透孔２０ｃは、それぞれベース１１の主壁１１ａと直交する方向に延びているとともに、互いに整列して位置している。各締結部１８は、締結部材として機能するねじ２４を有している。ねじ２４は、ベース１１側から第１凹部２０ａの透孔２０ｃを通して第２凹部２２ａのねじ孔２２ｃにねじ込まれている。これにより、ベース１１の第１凹部２０ａとトップカバー１２の第２凹部２２ａとが互いに締結され、ベースおよびスップカバーが締結されている。
【００１４】
なお、各締結部１８を構成する第１凹部２０ａおよび第２凹部２２ａは、ベース１１およびトップカバー１２の側壁１１ｂおよび１２ｂを変形されることなく、主壁１１ａ、１２ａに形成されている。そのため、側壁１１ｂ、１２ｂは、主壁の全周に亘って歪むことなく形成され、全周に亘ってほぼ隙間なく互いに接触している。
【００１５】
図２および図３に示すように、筐体１０内には、記録媒体として機能する例えば、直径１．８インチ以下、例えば、１．３インチの磁気ディスク２１および機構部が収納されている。機構部は、磁気ディスク２１を支持および回転させる駆動モータとしてのスピンドルモータ２３、磁気ディスクに対して情報の書き込み、読み出しを行なう磁気ヘッド３１、磁気ディスク２１に対して磁気ヘッドを移動自在に支持したヘッドサスペンションアッセンブリ（以下、ＨＳＡと称する）２６、ＨＳＡを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、ＨＳＡを退避位置に保持する電磁ラッチ３２、およびヘッドアンプ等を有する基板ユニット３４等を備えている。
【００１６】
スピンドルモータ２３は、ベース１１の主壁１１ａに取り付けられている。スピンドルモータ２３は図示しない枢軸を有し、この枢軸はベース１１の主壁１１ａに対してほぼ垂直に立設されている。枢軸には、図示しない軸受を介して円柱形状のロータ２５が支持されている。このロータ２５には、磁気ディスク２１が同軸的に嵌合されている。ロータ２５の端部には、環状のクランプリング２７がねじ止めされ、磁気ディスク２１の円周縁部を保持している。これにより、磁気ディスク２１はロータに固定され、ロータと一体的に回転可能に支持されている。そして、磁気ディスク２１は、スピンドルモータ２３により、所定の速度で回転される。
【００１７】
ＨＳＡ２６は、ベース１１の内面上に固定された軸受組立体３６、軸受組立体に取り付けられた図示しない支持フレーム、および軸受組立体に支持された第１および第２ヘッドジンバルアッセンブリ（以下、ＨＧＡと称する）３５ａ、３５ｂを備えている。軸受部として機能する軸受組立体３６は、ベース１１の主壁１１ａの内面に対して垂直に立設された枢軸５３と、一対の軸受を介して枢軸５３に回転自在に支持された円筒形状のハブ５４と、を有している。枢軸５３の延出端は、自由端となっている。
【００１８】
ＨＧＡ３５ａ、３５ｂの各々は、ハブ５４に取り付けられたアーム５８、アームから延出したサスペンション６０、およびサスペンションの延出端に図示しないジンバル部を介して支持された磁気ヘッド３１を備えている。アーム５８は、例えば、ＳＵＳ３０４等のステンレス系の材料により、板厚２００μｍ程度の薄い平板状に形成されている。
【００１９】
サスペンション６０は、板厚２０〜１００μｍの細長い板ばねにより構成され、その基端がスポット溶接あるいは接着によりアーム５８の先端に固定され、アームから延出している。サスペンション６０およびアーム５８は、同一材料で一体に形成してもよい。
【００２０】
磁気ヘッド３１は、図示しないほぼ矩形状のスライダとこのスライダに形成された記録再生用のＭＲ（磁気抵抗）ヘッドとを有し、サスペンション６０の先端部に形成されたジンバル部に固定されている。磁気ヘッド３１はサスペンション６０のばね力により磁気ディスク２１表面に向かって所定のヘッド荷重が印加されている。
【００２１】
ＶＣＭ２８は、ＨＳＡ２６の支持フレームに固定されたボイスコイルと、ベース１１上に設けられボイスコイルと対向した一対のヨーク６３、およびこのヨークに固定された図示しない磁石とを有している。
【００２２】
基板ユニット３４は、ベース１１の主壁１１ａ上に固定された基板本体４０を有し、この基板本体上には、ヘッドＩＣ４６を含む複数の電子部品およびコネクタ等が実装されている。基板ユニット３４は、基板本体４０とＨＳＡ２６とを電気的に接続した帯状のメインフレキシブルプリント基板（以下、メインＦＰＣと称する）４１を有している。ＨＳＡ２６に支持された各磁気ヘッド３１は、アーム５８およびサスペンション６０上に設けられた図示しない中継フレキシブルプリント基板（以下、中継ＦＰＣと称する）およびメインＦＰＣ４１を介して基板本体４０に電気的に接続されている。
【００２３】
一対のＨＧＡ３５ａ、３５ｂは、磁気ディスク２１の両面側に位置し、一対の磁気ヘッド３１は磁気ディスクを挟んで対向している。ボイスコイルに通電することにより、ＨＳＡ２６は、図２に示す退避位置と磁気ディスク２１の表面上に位置する動作位置との間を回動し、磁気ヘッド３１は磁気ディスク２１の所望のトラック上に位置決めされる。
【００２４】
ベース１１に固定された電磁ラッチ３２は、退避位置に移動したＨＳＡ２６をラッチし、ＨＤＤが衝撃等の外力を受けた際、ＨＳＡが退避位置から作動位置へ移動することを防止する。  
ランプロード機構３０は、ベース１１の内面に固定され磁気ディスク２１の周縁部に対向したランプ部材７０と、サスペンション６０の先端から延出したタブと、を備えている。磁気ヘッド３１が磁気ディスク２１の内周部から磁気ディスク外周の退避位置まで回動すると、タブは、ランプ部材７０のランプ面に係合し、その後、ランプ面の傾斜によって引き上げられ、磁気ヘッド３１のアンロード動作を行う。  
前述した筐体１０の３つの締結部１８は、図２に示すように、筐体１０の３つの角部で、かつ、磁気ディスク２１および機構部から外れた位置にそれぞれ設けられている。
【００２５】
図３および図５に示すように、矩形状の制御回路基板１５は、筐体１０の外面、ここでは、ベース１１の外面に重ねて設けられている。制御回路基板１５上には、コネクタを含む多数の電子部品が実装されている。制御回路基板１５は、電子部品が実装されている面がベース１１の主壁外面と対向した状態で配置されている。制御回路基板１５は、図示しないコネクタを介して筐体１０内の基板ユニット３４およびスピンドルモータ２３に電気的に接続され、スピンドルモータ、ＶＣＭ２８、および磁気ヘッド３１の動作を制御する。後述するように、制御回路基板１５の４つの角部は、それぞれスペーサ５０を挟んでベース１１の主壁１１ａにねじ止めされている。
【００２６】
筐体１０の底に取り付けられたボトムカバー１６は、制御回路基板１５と対向した矩形状の主壁５２ａと、主壁の周縁に沿って立設されているとともに制御回路基板１５の周縁部を覆った側壁５２ｂとを一体に有している。ボトムカバー１６は、複数のねじ５３によってベース１１にねじ止めされ、制御回路基板１５およびベースの底面を覆っている。
【００２７】
この際、各ねじ５３は、ボトムカバー１６の主壁５２ａに形成された透孔７１および制御回路基板１５に形成された透孔７２を通して、ベース１１の主壁１１ａに設けられたねじ孔７３にねじ込まれている。これにより、ボトムカバー１６および制御回路基板１５は、ねじ１４により共締めされ、ベース１１に固定されている。各ねじ５３の先端部は、ベース１１の主壁１１ａを通り筐体１０内に突出している。そして、この先端部およびねじ孔７３は、ベース１１の主壁内面に取り付けられたキャップ７４によりシールされている。
【００２８】
以上のように構成されたＨＤＤによれば、筐体１０を構成するベース１１およびトップカバー１２は、主壁および主壁の周縁部に沿ってほぼ直角に立設された側壁を有し、これらの側壁を突き合わせた状態で、対向配置されている。そのため、筐体の壁厚を薄くし、筐体の小型化、軽量化を図ることができるとともに、筐体内部に大きな設置スペースを確保することが可能となる。これにより、小型のディスク装置を実現することができる。
【００２９】
筐体のベースおよびトップカバーは、主壁の一部を加工して形成された第１凹部および第２凹部を互いに接触させ、かつ、これらの凹部を互いに締結することにより、締結されている。そのため、ベースとトップカバーとを締結するための支持ポストや枢軸を設ける必要がなく、部品点数の削減、および製造コストの低減を図ることが可能となる。  
スピンドルモータの枢軸をベースおよびトップカバーの両方に固定する必要がなく、使用可能な駆動モータの選択範囲を広げ、設計の自由度を挙げることができる。
【００３０】
各締結部１８を構成する第１凹部および第２凹部は、ベースおよびトップカバーの主壁にそれぞれ形成されて、側壁に締結ようの加工を特別施す必要がない。そのため、ベースおよびトップカバーの側壁は、主壁の全周に亘って歪むことなく、全周に亘ってほぼ隙間なく互いに接触することができる。これにより、筐体の強度向上および気密性の向上を図ることができる。
【００３１】
次に、この発明の他の実施形態について説明する。
【００３２】
図６に示すように、第２の実施形態によれば、筐体１０の各締結部１８は、ベース１１の主壁１１ａおよびトップカバー１２の主壁１２ａにそれぞれ形成された第１凹部２０ａおよび第２凹部２２ａを有している。第１凹部２０ａおよび第２凹部２２ａの底部２０ｂ、２２ｂは互いに向かい合い、互いに面接触している。第１凹部２０ａの底部２０ｂにはねじ孔２０ｄが形成され、第２凹部２２ａの底部２２ｂには透孔２２ｄが形成されている。ねじ孔２０ｄおよび透孔２２ｄは、それぞれベース１１の主壁１１ａと直交する方向に延びているとともに、互いに整列して位置している。締結部材として機能するねじ２４は、トップカバー１２側から第２凹部２２ａの透孔２２ｄを通して第１凹部２０ａのねじ孔２０ｄにねじ込まれている。ねじ２４は、ねじ頭がトップカバー１２の表面と同一平面に位置する高さに形成されている。これにより、ベース１１の第１凹部２０ａとトップカバー１２の第２凹部２２ａとが互いに締結され、ベースおよびトップカバーが締結されている。
【００３３】
第２の実施形態において、他の構成は前述した第１の実施形態と同一であり、同一の部分について詳細な説明は省略する。そして、第２の実施形態においても、前述した第１の実施形態と同様の作用効果を得ることができる。更に、第２の実施形態によれば、トップカバー側から締結部をねじ止めすることができ、組立性の向上を図ることができる。
【００３４】
図７に示すように、この発明の第３の実施形態に係るＨＤＤによれば、各締結部１８において、第１凹部２０ａおよび第２凹部２２ａの底部には、それぞれ透孔２０ｃ、２２ｄが形成されている。また、第２凹部２２ａ内には、締結部材としてのナット７６が配設されている。ねじ２４は、ベース１１側から透孔２０ｃ、２２ｄに挿通され、ナット７６にねじ込まれている。これにより、ベース１１の第１凹部２０ａとトップカバー１２の第２凹部２２ａとが互いに締結され、ベースおよびトップカバーが締結されている。
【００３５】
第３の実施形態において、他の構成は前述した第１の実施形態と同一であり、同一の部分について詳細な説明は省略する。そして、第３の実施形態においても、前述した第１の実施形態と同様の作用効果を得ることができる。
【００３６】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、磁気ディスクは、１．３インチに限らず、０．８５インチあるいは１．８インチ等、他の大きさとしてもよい。磁気ディスクの枚数、磁気ヘッドの数は、必要に応じて増加可能である。また、筐体を構成するベース、トップカバー、並びに、ボトムカバーの材質、寸法等は上述し実施形態に限らず、種々変更可能である。更に、筐体の締結部の数は、３つに限らず、増減可能である。ボトムカバーは省略してもよい。
【図面の簡単な説明】
【００３７】
【図１】図１は、この発明の第１の実施形態に係るＨＤＤを示す斜視図。
【図２】図２は、前記ＨＤＤの内部構造を示す斜視図。
【図３】図３は、図１の線Ａ−Ａに沿った前記ＨＤＤの断面図。
【図４】図４は、前記ＨＤＤの筐体の締結部を拡大して示す断面図。
【図５】図５は、前記ＨＤＤの制御回路基板およびボトムカバーの取り付け構造を示す断面図。
【図６】図６は、この発明の第２の実施形態に係るＨＤＤの締結部を示す断面図。
【図７】図７は、この発明の第３の実施形態に係るＨＤＤの締結部を示す断面図。
【符号の説明】
【００３８】
１０…筐体、１１…ベース、１１ａ、１２ａ…主壁、１１ｂ、１２ｂ…側壁、
１２…トップカバー、１５…制御回路基板、１６…ボトムカバー、
２０ａ…第１凹部、２０ｂ…底壁、２０ｃ…透孔、２１…磁気ディスク、
２２ａ…第２凹部、２２ｂ…底壁、２２ｃ…ねじ孔、２３…スピンドルモータ、
２４…ねじ、２６…ヘッドサスペンションアッセンブリ（ＨＳＡ）、２８…ＶＣＭ、
３１…磁気ヘッド、３４…基板ユニット、
３５ａ、３５ｂ…ヘッドジンバルアッセンブリ（ＨＳＧ）
【図１】
2008165873.tif 000003
【図２】
2008165873.tif 000004
【図３】
2008165873.tif 000005
【図４】
2008165873.tif 000006
【図５】
2008165873.tif 000007
【図６】
2008165873.tif 000008
【図７】
2008165873.tif 000009